(57)【特許請求の範囲】
【請求項１】
タッチ画面に接触する操作手段からの入力動作を示す入力情報を入力する入力部と、
認証を許可する困難性を示すセキュリティレベルに前記入力動作と表示画像を対応づける認証テーブルを参照して、当該表示画像を前記タッチ画面に表示する表示部と、
前記認証テーブルを参照して、前記タッチ画面に表示されている表示画像と、当該表示画像が表示されている状態において前記入力部が入力した前記入力情報が示す入力動作の組み合わせが、前記認証テーブルにおいて対応付けられているか否かを判断し、当該組み合わせが前記認証テーブルにおいて対応づけられている場合、当該入力動作による入力行為を認証する認証処理部と、
を備えることを特徴とする表示装置。
【請求項２】
前記タッチ画面に表示されている表示画像に対して前記入力動作を示す画像処理をする画像処理部をさらに備えることを特徴とする請求項１に記載の表示装置。
【請求項３】
前記認証テーブルは、
前記入力動作として、前記タッチ画面における前記操作手段の動き、前記タッチ画面における前記操作手段の接触面積、あるいは、前記タッチ画面における前記操作手段の接触位置のうち、少なくとも１つを含むことを特徴とする請求項１あるいは２に記載の表示装置。
【請求項４】
前記認証テーブルは、前記表示画像が意味する内容に対して関連性の弱い前記入力動作を対応付けることを特徴とする請求項１から３のいずれか一項に記載の表示装置。
【請求項５】
認証を許可する困難性を示すセキュリティレベルに入力動作と表示画像を対応づける認証テーブルを参照して、当該表示画像をタッチ画面に表示するステップと、
前記タッチ画面に接触する操作手段からの入力動作を示す入力情報を入力するステップと、
前記認証テーブルを参照して、前記タッチ画面が表示している表示画像と、当該表示画像が表示されている状態において前記入力部が入力した前記入力情報が示す入力動作の組み合わせが、前記認証テーブルにおいて対応付けられているか否かを判断し、当該組み合わせが前記認証テーブルにおいて対応づけられている場合、当該入力動作による入力行為を認証するステップと、
を備えることを特徴とする認証方法。
【請求項６】
コンピューターに、
認証を許可する困難性を示すセキュリティレベルに入力動作と表示画像を対応づける認証テーブルを参照して、当該表示画像をタッチ画面に表示する手順、
前記タッチ画面に接触する操作手段からの入力動作を示す入力情報を入力する手順、
前記認証テーブルを参照して、前記タッチ画面が表示している表示画像と、当該表示画像が表示されている状態において前記入力部が入力した前記入力情報が示す入力動作の組み合わせが、前記認証テーブルにおいて対応付けられているか否かを判断し、当該組み合わせが前記認証テーブルにおいて対応づけられている場合、当該入力動作による入力行為を認証する手順、
を実行させるためのプログラム。
【発明の詳細な説明】
【技術分野】
【０００１】
本発明は、例えばタッチパネル等である表示部と入力部と含む構成を備える表示装置、
認証方法、およびプログラムに関するものである。
【背景技術】
【０００２】
例えば、タッチパネルからユーザの指で手書き入力された図形に基づき、予め登録され
ている図形と、入力された図形とが一致しているか否かを判断し、一致している場合、認
証を許可する電子機器がある（例えば、特許文献１参照）。
【先行技術文献】
【特許文献】
【０００３】
【特許文献１】特開２００８−２５７４２７号公報
【発明の概要】
【発明が解決しようとする課題】
【０００４】
しかしながら、特許文献１に開示されているような電子機器では、認証の図形として簡
単な形状の図形を登録すると、認証の判定レベルが甘くなり、誤認証が発生し、十分なセ
キュリティ性を確保することができず、また、誤動作が発生する問題がある。
一方、認証の図形として複雑な形状の図形を登録すると、認証の判定レベルが厳しくな
り、認証すべき本人の入力であっても認証を許可しない場合がある。特に、描画が苦手な
ユーザやタッチパネルの操作に慣れていないユーザの場合、登録されている図形と一致す
る図形を描画するまで認証作業を続けて行わなければならないため、操作性が低下する問
題がある。
【０００５】
本発明は、このような事情を考慮し、上記の問題を解決すべくなされたものであって、
その目的は、ユーザに応じた認証を行いユーザの操作性を向上させることができる表示装
置、認証方法、およびプログラムを提供することにある。
【課題を解決するための手段】
【０００６】
上記問題を解決するために、本発明に係る表示装置は、タッチ画面に接触する操作手段
からの入力動作を示す入力情報を入力する入力部と、前記入力動作に表示画像を対応づけ
る認証テーブルを参照して、当該表示画像を前記タッチ画面に表示する表示部と、前記認
証テーブルを参照して、前記タッチ画面に表示されている表示画像と、当該表示画像が表
示されている状態において前記入力部が入力した前記入力情報が示す入力動作の組み合わ
せが、前記認証テーブルにおいて対応付けられているか否かを判断し、当該組み合わせが
前記認証テーブルにおいて対応づけられている場合、当該入力動作による入力行為を認証
する認証処理部と、を備えることを特徴とする。
【０００７】
また、本発明は、上述の表示装置において、前記タッチ画面に表示されている表示画像
に対して前記入力動作を示す画像処理をする画像処理部をさらに備えることを特徴とする
。
【０００８】
また、本発明は、上述の表示装置において、前記認証テーブルが、前記入力動作として
、前記タッチ画面における前記操作手段の動き、前記タッチ画面における前記操作手段の
接触面積、あるいは、前記タッチ画面における前記操作手段の接触位置のうち、少なくと
も１つを含むことを特徴とする。
【０００９】
また、本発明は、上述の表示装置において、前記認証テーブルが、それぞれ対応付けら
れている前記表示画面と前記入力動作に、認証を許可する困難性を示すセキュリティレベ
ルにさらに対応付けることを特徴とする。
【００１０】
また、本発明は、上述の表示装置において、前記認証テーブルが、前記表示画像が意味
する内容に対して関連性の弱い前記入力動作を対応付けることを特徴とする。
【００１１】
また、上記問題を解決するために、本発明に係る認証方法は、入力動作に表示画像を対
応づける認証テーブルを参照して、当該表示画像をタッチ画面に表示するステップと、前
記タッチ画面に接触する操作手段からの入力動作を示す入力情報を入力するステップと、
前記認証テーブルを参照して、前記タッチ画面が表示している表示画像と、当該表示画像
が表示されている状態において前記入力部が入力した前記入力情報が示す入力動作の組み
合わせが、前記認証テーブルにおいて対応付けられているか否かを判断し、当該組み合わ
せが前記認証テーブルにおいて対応づけられている場合、当該入力動作による入力行為を
認証するステップと、を備えることを特徴とする。
【００１２】
さらに、上記問題を解決するために、本発明に係るプログラムは、コンピューターに、
入力動作に表示画像を対応づける認証テーブルを参照して、当該表示画像をタッチ画面に
表示する手順、前記タッチ画面に接触する操作手段からの入力動作を示す入力情報を入力
する手順、前記認証テーブルを参照して、前記タッチ画面が表示している表示画像と、当
該表示画像が表示されている状態において前記入力部が入力した前記入力情報が示す入力
動作の組み合わせが、前記認証テーブルにおいて対応付けられているか否かを判断し、当
該組み合わせが前記認証テーブルにおいて対応づけられている場合、当該入力動作による
入力行為を認証する手順、を実行させるためのプログラムであることを特徴とする。
【図面の簡単な説明】
【００１３】
【図１】本実施の形態に係る表示装置の一例を示すブロック図である。
【図２】本実施の形態に係る表示装置のタッチ画面の一例を示す概略図である。
【図３】本実施の形態に係る表示装置の認証テーブルの一例を示す図である。
【図４】本実施の形態に係る表示装置におけるジェスチャーについて説明する図である。
【図５】本実施の形態に係る表示装置におけるセキュリティレベルと動作入力の一例を説明するための図である。
【図６】本実施の形態に係る表示装置において入力動作に応じて変化する画面の一例を示す図である。
【図７】本実施の形態に係る認証方法の一例を説明するためのフローチャートである。
【発明を実施するための形態】
【００１４】
以下、本発明による一実施形態について、図面を参照して説明する。
図１は、本実施形態に係る表示装置の一例を示すブロック図である。
図１に示す通り、本実施形態に係る表示装置は、タッチパネル１と、記憶部２と、入力
動作解析部３と、画像処理部４と、認証処理部５と、制御部６を含む。
【００１５】
タッチパネル１は、例えば液晶パネル等からなる表示部１１と、例えばタッチパッド等
からなる入力部１２を含む。このタッチパネル１は、表示部１１の液晶パネルの表示画面
であり、かつ、入力部１２のタッチパッドのセンサー部分であるタッチ画面１３を備える
。
このタッチ画面１３は、例えば、図２に示すように、複数の分割エリア１１、１２、１
３、・・・、６５で構成されている。また、このタッチ画面１３には、分割エリア内をさ
らに分割するマトリックス状の座標が規定されている。
この分割エリアや座標は、タッチ画面１３においてユーザの指が接触している点である
接触位置を示すとともに、この点の集合である接触面積を示す。
【００１６】
表示部１１は、画像処理部４から出力される画像データに基づく画像をタッチ画面１３
に表示する。
入力部１２は、タッチ画面１３に接触する操作手段からの入力動作を受け付け、この入
力動作に応じた入力情報を、入力動作解析部３に出力する。この入力部１２は、入力する
入力動作に基づき、例えば、タッチ画面１３における操作手段の動きの軌跡を示す入力情
報、タッチ画面１３における操作手段の接触面積を示す入力情報、および、タッチ画面１
３における操作手段の接触位置を示す入力情報を、入力動作解析部３に出力する。
この操作手段としては、ユーザの指や専用のタッチペン等が利用可能である。ここでは
、操作手段がユーザの指である例について以下説明する。
【００１７】
記憶部２は、画像データ記憶領域２１と、表示プログラム記憶領域２２と、認証テーブ
ル２３とを記憶する。
画像データ記憶領域２１は、表示部１１に表示される認証用の表示画像や操作画面を示
す画像等の画像データを記憶する領域である。
表示プログラム記憶領域２２は、入力部１２の入力動作に応じた画像を表示部１１に表
示する処理や表示部１１に対して特定の画像を表示させる処理、あるいは、入力部１２か
らの入力に応じて電話やメール等、インターネット接続等を実行する処理などを制御部６
に実行させるためのプログラムである。
【００１８】
認証テーブル２３は、認証用の表示画像に入力動作を対応づけるテーブルである。この
認証テーブル２３は、例えば、図３に示すものが利用可能である。
図３に示す通り、認証テーブル２３は、セキュリティレベルに認証用の表示画像と入力
動作を対応付けるテーブルである。
このセキュリティレベルは、認証を許可する困難性を示すレベルである。ここで、セキ
ュリティレベルＡは、その困難性が一番低く、セキュリティレベルＣは、その困難性が一
番高い。また、セキュリティレベルＢは、セキュリティレベルＡとＣの間程度の認証許可
の困難性を有する。この認証を許可する困難性が高いほど、認証を許可した状態で利用可
能な機能の重要性が高く、例えば、個人情報や重要情報に関するものを利用する機能の使
用を許可することができる。また、この認証を許可する困難性が低いほど、よく利用する
機能や比較的重要度が低い機能の利用の認証を行うようにすることができる。
例えば、セキュリティレベルＡは、電話機能（着信機能のみ）の実行を許可する。セキ
ュリティレベルＢは、電話・メール機能（着信機能、発信機能、メール送受信機能のみ）
の実行を許可する。セキュリティレベルＣは、電話・メール・インターネット機能（着信
機能、発信機能、メール送受信機能、インターネット機能のみ）の実行を許可する。
【００１９】
表示画像は、文字や図形を含む画像や写真であって、例えば、ひらがな「あ、い、う、
・・・」等である。この表示画像には、例えば、画像データの識別子が対応付けられてお
り、画像データ自体は、画像データ記憶領域２１に記憶されている。
【００２０】
入力動作は、認証を許可する表示画像との組み合わせとして、予め各表示画像に応じて
登録されている入力動作である。この入力動作は、例えば、タッチ画面１３における操作
手段の動きの軌跡を示すジェスチャーと、タッチ画面１３における操作手段の接触面積と
、タッチ画面１３における操作手段の接触位置とによって表わされる。
【００２１】
なお、この認証テーブル２３に含まれるセキュリティレベルと、表示画像と、入力動作
の組み合わせは、例えば、予め決められており、この組み合わせが認証を許可するユーザ
にのみ秘密に通知される。なお、この組み合わせの通知は、この組み合わせの秘密状態が
維持された状態で通知されるものであればよく、例えば、インターネットを通じて通知す
るものであってもよく、封筒等の郵便手段により送達されるものであってもよい。
また、認証テーブル２３に含まれるセキュリティレベルと、表示画像と、入力動作の組
み合わせは、ユーザによって入力部１２から入力され、入力されたセキュリティレベルと
、表示画像と、入力動作とをそれぞれ対応付けて認証テーブル２３に記憶させる登録部（
図示せず）によって作成されるものであってもよい。
この認証テーブル２３においてそれぞれ対応付けられる表示画面と入力動作は、表示画
面が意味する内容に対して関連性の弱い入力動作であることが好ましく、表示画面を見た
ユーザによって入力動作が容易に想起できない認証条件とすることが好ましい。これによ
り、認証の信頼性を向上することができる。
【００２２】
入力動作解析部３は、入力部１２から入力する入力情報に基づき、入力された入力動作
の内容を解析する。この入力動作解析部３は、例えば、入力部１２からの入力情報に基づ
き、ユーザの指が動かされる軌跡を解析して、これを入力動作が示すジェスチャーとして
認証処理部５に出力する。
このジェスチャーは、例えば、図４に示すような指の動きを示す。ここでは、比較的操
作が簡単なジェスチャーを示す。
図４（ａ）は、１本の指を右に移動させるジェスチャーを示す。図４（ｂ）は、２本の
指を外側から内側に向かって移動させるジェスチャーを示す。図４（ｃ）は、１本の指を
左に回転させるジェスチャーを示す。図４（ｄ）は、１本の指を上から下に移動させるジ
ェスチャーを示す。なお、その始点がタッチ画面１３の最上部、その終点がタッチ画面１
３の中央である。図４（ｅ）は、１本の指を右上から左下に向かってジグザグに移動させ
るジェスチャーを示す。
【００２３】
また入力動作解析部３は、入力部１２からの入力情報に基づき、ユーザの指がタッチ画
面１３に接触している接触面積や、ユーザの指が接触している接触位置を解析し、この解
析結果を入力動作が示す接触面積や接触位置として、それぞれ、認証処理部５に出力する
。
【００２４】
ここで、図５を参照して、認証テーブル２３において対応付けられているセキュリティ
レベルと入力動作の関係について説明する。図５は、認証テーブル２３において対応付け
られているセキュリティレベルと入力動作の一例を説明する図である。
図５（ａ）には、セキュリティレベルＡに対して、動作入力を示すジェスチャー「右移
動」が対応付けられている例について説明する図である。この場合、入力動作としての条
件は、ジェスチャーだけであるため、図示の通り、ユーザが指を右に移動させる位置は、
タッチ画面１３の何処の位置であってもよい。また、接触面積も条件に含まれていないた
め、右に移動させる指は、一本でもあってもよく、複数本であってもよい。
【００２５】
図５（ｂ）には、セキュリティレベルＢに対して、動作入力を示すジェスチャー「右移
動」と接触面積「１ｃｍ２以上」が対応付けられている例について説明する図である。こ
の場合、入力動作としての条件は、ジェスチャーと接触面積であるため、図示の通り、右
に移動させる指は、１ｃｍ２以上タッチ画面１３と接触していなければならず、例えば、
少なくとも２本以上で右に移動させなければならない。なお、接触位置は条件に含まれて
いないため、ユーザが指を右に移動させる位置は、タッチ画面１３の何処の位置であって
もよい。
【００２６】
図５（ｃ）には、セキュリティレベルＣに対して、動作入力を示すジェスチャー「右移
動」と接触面積「１ｃｍ２以上」と接触位置「エリアＷ」が対応付けられている例につい
て説明する図である。なお、エリアＷとは、分割エリア３１〜３５、４１〜４５を含む領
域である。この場合、入力動作としての条件は、ジェスチャーと接触面積と接触位置であ
るため、図示の通り、右に移動させる指は、１ｃｍ２以上タッチ画面１３と接触していな
ければならず、かつ、ユーザが指を右に移動させる位置は、タッチ画面１３のエリアＷ内
でなければならない。
【００２７】
このように、同一のジェスチャーであって、その接触面積や接触位置等の条件を追加す
ることによって、認証の判定レベルを換えることができる。つまり、ユーザは簡単なジェ
スチャーで認証を行うことができるとともに、入力動作の条件をより細かく決定すること
により、認証の信頼性を向上させることができる。
【００２８】
画像処理部４は、入力動作解析部３で解析された入力動作に基づき、表示部１１に現に
表示されている画像データに対して入力動作に応じた画像処理を行い、表示部１１に出力
する。この画像処理部４は、例えば、入力動作の示すジェスチャーに応じて、表示部１１
に入力動作が入力される際に現に表示されている表示画像をタッチ画面１３内において移
動して見える連続した画像データを作成して、表示部１１に出力する。
例えば、図６（ａ）に示すように、ひらがな「あ」を示す表示画像が表示部１１に示さ
れている状態において、右移動のジェスチャーが入力された場合、この表示画像は、図６
（ｂ）に示すように移動する。つまり、画像処理部４が、この入力動作に応じて、ひらが
な「あ」が右に移動しているように見える連続した画像データを作成して、表示部１１に
出力する。
【００２９】
なお、画像処理部４は、これに限られず、図６（ｃ）に示すように、表示部１１に入力
動作が入力される際に現に表示されている表示画像であるひらがな「あ」は移動させずに
、指が接触している部分を示すアイコンを表示する。つまり、右移動のジェスチャーが入
力された場合、この画像処理部４は、入力動作の示すジェスチャーに応じて、このアイコ
ンが右に移動しているように見える連続した画像データを作成するものであってもよい。
【００３０】
認証処理部５は、記憶部４の認証テーブル２３を参照して、入力動作解析部３から出力
される入力動作と、画像処理部４によって表示部１１に表示されている表示画像の組み合
わせが、認証テーブル２３においてそれぞれ対応付けられているか否かを判断する。この
認証処理部５は、この入力動作と表示画像の組み合わせが、認証テーブル２３において対
応付けられて組み合わせであることを判断した場合、当該入力動作による認証を許可する
。
この認証処理部５は、認証を許可した場合、当該入力動作と表示画面が対応付けられて
いるセキュリティレベルＡ〜Ｃに応じた機能の実行を制御部６に実行させる。
【００３１】
次に、図７参照して、本実施形態に係る認証方法の一例について説明する。
図７に示す通り、タッチパネル１の制御部６は、入力部１２からの入力があるか否かを
判断する（ステップＳＴ１）。
例えば、ユーザの指でタッチ画面１３が軽くタッチされた場合、入力部１２は、入力を
受け付け、入力動作解析部３に入力情報を出力する。この入力動作解析部３は、この入力
情報に基づき、入力動作を解析して、解析結果を制御部６に出力する。この制御部６は、
記憶部２の表示プログラム記憶領域２２に従い、入力動作解析部３による解析結果が示す
入力動作に応じて、認証処理を開始する。
この制御部６は、認証テーブル２３に対応付けられている表示画像の画像データを選択
し、画像データ記憶領域２１から読み出して、画像処理部４に出力する。この画像処理部
４は、入力された画像データに基づく画像を表示部１１に表示させる（ステップＳＴ２）
。ここで、制御部６は、例えば、表示画像「あ」を選択し、この表示画像「あ」にフラグ
を対応付ける。
【００３２】
この制御部６は、例えば、ランダムに認証用の表示画像を表示することが設定されてい
る場合、認証テーブル２３に対応付けられている表示画像のうち、任意の表示画像を選択
する。一方、セキュリティレベル毎に認証用の表示画像を表示することが設定されている
場合、制御部６は、予め決められているセキュリティレベルに対応する表示画像を認証テ
ーブル２３から選択する。例えば、ステップＳＴ１における入力が１回のタッチである場
合、制御部６は、セキュリティレベルＡに対応する表示画像を選択するように設定されて
いる。また、ステップＳＴ１における入力が２回の連続したタッチである場合、制御部６
は、セキュリティレベルＢに対応する表示画像を選択するように設定されている。
【００３３】
次いで、タッチパネル１の制御部６は、入力部１２からの入力があるか否かを判断し（
ステップＳＴ３）、入力があった場合、入力部１２は、受け付けた入力動作を示す入力情
報を入力動作解析部３に出力する。そして、入力動作解析部３は、入力情報に基づき入力
動作を解析する（ステップＳＴ４）。この入力動作解析部３は、解析結果を、画像処理部
４および認証処理部５に出力する。
ここで、図６（ａ）に示したように、タッチパネル１のタッチ画面３１に、表示画像「
あ」が表示されている状態で、ユーザがタッチ画面１２を指１本で右移動させたとする。
この場合、入力動作解析部３はこの入力動作を解析し、例えば、右移動のジェスチャーと
、指１本分の接触面積と、分割エリア４１〜４５の接触位置を示す入力動作を解析結果と
して得る。
【００３４】
そして、画像処理部４は、この入力動作に応じて、例えば図６（ｂ）に示したように、
ひらがな「あ」が右に移動しているように見える連続した画像データを作成し、表示部１
１に出力する（ステップＳＴ５）。これにより、表示部１１には、表示されているひらが
な「あ」が右に移動しているような画像が表示される。
【００３５】
一方、認証処理部５は、記憶部４の認証テーブル２３を参照して、この入力動作解析部
３から入力された入力動作と、画像処理部４によって表示部１１に表示されている表示画
像の組み合わせが、認証テーブル２３においてそれぞれ対応付けられているか否かを判断
する（ステップＳＴ６）。
ここで、表示部１１に表示されている表示画像「あ」は、認証テーブル２３において、
入力動作のジェスチャー「右移動」と対応付けられている。上述の通り、入力動作解析部
３から出力される入力動作は、右移動のジェスチャーを示しているため、認証処理部５は
、この入力動作のジェスチャー「右移動」と表示画像「あ」の組み合わせが、認証テーブ
ル２３において対応付けられて組み合わせであることを判断し、認証を許可する（ステッ
プＳＴ７−Ｙｅｓ）。
【００３６】
そして、認証処理部５は、この入力動作のジェスチャー「右移動」と表示画像「あ」の
組み合わせに対応付けられているセキュリティレベルが、セキュリティレベルＡであるこ
とを判断する（ステップＳＴ８）。この認証処理部５は、セキュリティレベルＡに対応す
る機能の実行を解除することを制御部６に指示する（ステップＳＴ９）。これにより、制
御部６は、表示プログラム記憶領域２２に従って、認証処理部５により解除された機能の
み実行する。つまり制御部６は、解除されていない機能についての実行が制限されている
。
【００３７】
一方、ステップＳＴ２において選択された表示画像が表示画像「か」であった場合、認
証処理部５は、ステップＳＴ６において、入力動作解析部３によって得られた入力動作を
示すジェスチャーおよび接触面積に基づき認証を行う。つまり、認証処理部５は、認証テ
ーブル２３を参照して、入力動作解析部３によって得られた入力動作を示すジェスチャー
が右移動であり、かつ、接触面積が１ｃｍ２以上であるか否かを判断する。認証処理部５
は、入力動作を示すジェスチャーが右移動であり、かつ、接触面積が１ｃｍ２以上であれ
ば、セキュリティレベルＢの認証を許可し、セキュリティレベルＢに対応する機能の実行
を解除することを制御部６に指示する（ステップＳＴ１０）。
【００３８】
また、ステップＳＴ２において選択された表示画像が表示画像「さ」であった場合、認
証処理部５は、ステップＳＴ６において、入力動作解析部３によって得られた入力動作を
示すジェスチャー、接触面積および接触位置に基づき認証を行う。つまり、認証処理部５
は、認証テーブル２３を参照して、入力動作解析部３によって得られた入力動作を示すジ
ェスチャーが右移動であり、接触面積が１ｃｍ２以上であり、かつ、接触位置がエリアＷ
（分割エリア３１〜３５、４１〜４５）であるか否かを判断する。認証処理部５は、入力
動作を示すジェスチャーが右移動であり、接触面積が１ｃｍ２以上であり、かつ接触位置
がエリアＷ内であれば、セキュリティレベルＣの認証を許可し、セキュリティレベルＣに
対応する機能の実行を解除することを制御部６に指示する（ステップＳＴ１１）。
【００３９】
上述の通り、本実施形態に係る表示装置１００は、表示部１１に表示されている表示画
像と入力部１２から入力される入力動作の組み合わせが認証テーブル２３に予め登録され
ている組み合わせに一致するか否かを判断し、組み合わせが一致した場合、認証を許可す
る。
従って、表示画像に対応する入力動作を予め知っているユーザでなければ認証の許可を
得ることができない。このため、ユーザに応じて簡単な入力動作を認証のための入力動作
として利用しても、認証の判定レベルを確保することができる。これにより、誤認証によ
る認証の信頼性の低減や誤動作の発生を防止することができる。なお、表示画像により想
起できないような入力動作を対応づけておくことにより、認証の信頼性をより高めること
ができる。
【００４０】
また、上述の通り、セキュリティレベルに応じて、認証を許可するための入力動作の条
件を厳しくし、登録されているジェスチャー、接触面積あるいは接触位置のそれぞれに対
応する条件を満たさなければ、認証を許可しないようにできる。このように、認定の判定
レベルを厳しくすることで、認証の信頼性を高めることができる。
よって、セキュリティレベルに応じて入力動作の操作性を変更することができ、セキュ
リティレベルの低い認証においては簡単なジェスチャー等で認証を許可し、セキュリティ
レベルの高い認証においては複雑なジェスチャー等で認証を許可するように設定する。こ
れにより、ユーザに応じた入力動作を、セキュリティレベルに応じて設定することができ
、認証の信頼性を維持するとともに、ユーザの操作性を向上することができる。
【００４１】
さらに、登録されている入力動作の条件に応じてセキュリティレベルを換えることによ
り、１つの表示装置１００が、複数人により利用される場合であっても、各人に応じた機
能制限を実現することができる。例えば、家族によって１つの表示装置１００が利用され
る場合であって、子供には電話の着信機能しか利用させたくない場合、この子供に対して
はセキュリティレベルＡに対応する入力動作と表示画像の組み合わせだけを教えることが
できる。これにより、この子供は、セキュリティレベルＢ、Ｃの認証を解除することがで
きず、電話の着信機能しか利用することができない。
【００４２】
また、同じセキュリティレベルであっても、それぞれ異なる複数の画像表示と入力動作
の組み合わせを対応付けることが好ましい。これにより、複数人に同一のセキュリティレ
ベルの認証条件を用意することができる。
【００４３】
さらに、本実施形態に係る表示装置１００は、入力動作に応じて、表示部１１に表示さ
れている表示画像を画像処理する。つまり、入力動作に応じて、表示部１１に表示されて
いる表示画像がタッチ画面１３内において移動しているように見えるような画像処理をし
たり、あるいは、表示画像上に入力動作に応じて移動するアイコンを表示する。
このように、ユーザの入力動作を視覚的に示すことにより、ユーザは、入力時における
自身の入力動作を確認することができる。
【００４４】
なお、本発明は上記構成に限られず、例えば、以下に示すような構成であってもよい。
例えば、制御部６は、認証処理の開始を指示する入力動作を受けた場合、認証テーブル
２３において入力動作と対応付けられている表示画像を表示部１１に表示する構成につい
て説明した。しかし、本発明はこれに限られず、認証テーブル２３において入力動作と対
応付けられていない表示画像の画像データを画像データ記憶領域２１から読み出し、表示
部１１に表示させるものであってもよい。これにより、ダミーの表示画像が表示部１１に
表示される。このようなダミーに対して、認証のための入力動作を知らない第三者が入力
したとしても、認証は許可されない。
【００４５】
また、認証テーブル２３において対応付けられる表示画像と入力動作は、上記例に限ら
れず、任意の画像や動作が利用可能である。
例えば、表示画像「あ」に対して、入力動作のジェスチャーとして「い」を入力するこ
とが対応付けられるものであってもよい。
【００４６】
また、本実施形態において、認証により解除される機能は、電話やメール等を例に説明
したが、本発明はこれに限られず、例えば、ゲームやオーディオ再生や録音、動作再生や
録画、静止画再生や録画等の機能の解除をするための認証であってもよい。
さらに、制御部６は、前回の認証で許可した表示画像と入力動作の組み合わせを記憶部
２に記憶させておき、次回の認証において、前回使用した表示画像と入力動作の組み合わ
せでの認証を許可しないようにしてもよい。これにより、例えば、認証作業をしているユ
ーザＡの横でその認証作業を見ていたユーザＢが、ユーザＡの入力動作により認証が許可
されたことを利用して、ユーザＡの認証を真似して、ユーザＡと同じ表示画面と入力動作
の組み合わせで認証の許可を得るような行為を防止することができる。これにより、認証
の信頼性を向上させることができる。
【００４７】
また、認証処理部５は、予め決められた回数以上、認証が失敗した場合、その後の認証
処理を行わないような構成であってもよい。これにより、認証で許可される表示画面と入
力動作の組み合わせを知らないユーザが、でたらめに入力動作を繰り返して認証の許可を
得るような行為を防止することができる。これにより、認証の信頼性を向上させることが
できる。
【００４８】
また、上述の表示装置１００の各構成における動作の過程は、コンピューターに実行さ
せるためのプログラムや、このプログラムとしてコンピューター読み取り可能な記録媒体
として利用可能であり、コンピューターシステムが読み出して実行することによって、上
記処理が行われる。なお、ここでいう「コンピューターシステム」とは、ＣＰＵ及び各種
メモリーやＯＳ、周辺機器等のハードウェアを含むものである。
また、「コンピューターシステム」は、ＷＷＷシステムを利用している場合であれば、
ホームページ提供環境（あるいは表示環境）も含むものとする。
また、「コンピューター読み取り可能な記録媒体」とは、フレキシブルディスク、光磁
気ディスク、ＲＯＭ、フラッシュメモリー等の書き込み可能な不揮発性メモリー、ＣＤ−
ＲＯＭ等の可搬媒体、コンピューターシステムに内蔵されるハードディスク等の記憶装置
のことをいう。
【００４９】
さらに「コンピューター読み取り可能な記録媒体」とは、インターネット等のネットワ
ークや電話回線等の通信回線を介してプログラムが送信された場合のサーバやクライアン
トとなるコンピューターシステム内部の揮発性メモリー（例えばＤＲＡＭ（Ｄｙｎａｍｉ
ｃ  Ｒａｎｄａｍ  Ａｃｃｅｓｓ  Ｍｅｍｏｒｙ））のように、一定時間プログラムを保
持しているものも含むものとする。
また、上記プログラムは、このプログラムを記憶装置等に記憶したコンピューターシス
テムから、伝送媒体を介して、あるいは、伝送媒体中の伝送波により他のコンピューター
システムに伝送されてもよい。ここで、プログラムを伝送する「伝送媒体」は、インター
ネット等のネットワーク（通信網）や電話回線等の通信回線（通信線）のように情報を伝
送する機能を有する媒体のことをいう。
また、上記プログラムは、前述した機能の一部を実現するためのものであっても良い。
さらに、前述した機能をコンピューターシステムに既に記録されているプログラムとの組
合せで実現できるもの、いわゆる差分ファイル（差分プログラム）であっても良い。
【符号の説明】
【００５０】
１・・・タッチパネル、２・・・記憶部、３・・・入力動作解析部、４・・・画像処理
部、５・・・認証処理部、６・・・制御部、１１・・・表示部、１２・・・入力部、１３
・・・タッチ画面、２１・・・画像データ記憶領域、２２・・・表示プログラム、２３・
・・認証テーブル、１００・・・表示装置
【図１】
0005513957.tif 000002
【図２】
0005513957.tif 000003
【図３】
0005513957.tif 000004
【図４】
0005513957.tif 000005
【図５】
0005513957.tif 000006
【図６】
0005513957.tif 000007
【図７】
0005513957.tif 000008